(57)【要約】【課題】  組付強度が高く、組付強度の信頼性に優れ、部品数が少なく、組立工数が少なく、組み立てが容易で、組立設備が簡素でよく、かつ製造コストが低いＰＣカードを提供する。【解決手段】  下および上カバープレート５０および６０は、それぞれ長さ方向Ｌに延びる対称線を挟んで線対称な形状であると共に互いに同一形状を呈しており、各内側板面同士が対向するように互いに係合することによって、フレーム３０に対して取り付けられる。下および上カバープレート５０および６０同士の係合構造は、下カバープレート５０に該カバープレートの内側方向に延びるように形成された凹部付き舌片５６ａおよび凸部付き舌片５６ｂのうちの一方と、上カバープレート６０に該カバープレートの内側方向に延びるように形成された凹部付き舌片６６ａおよび凸部付き舌片６６ｂのうちの他方との対によって構成されている。凹部付き舌片５６ａ（６６ａ）および凸部付き舌片５６ｂ（６６ｂ）は、可撓性を有している。【選択図】      図２
2006127180.tif 000002
【特許請求の範囲】
【請求項１】
電子回路基板と、前記電子回路基板に接続されていると共に電子機器に備えられた機器コネクタに対して接離可能なコネクタと、カード状を呈し、前記電子回路基板と前記コネクタの一部とを収容する筐体とを有し、
前記筐体は、略角枠形を呈する樹脂製のフレームと、該フレームの下面および上面をそれぞれ覆蓋する略角板形を呈する板金製の下および上カバープレートとを備えているＰＣカードにおいて、
前記下および前記上カバープレートは、それぞれ長さ方向に延びる対称線を挟んで線対称な形状であると共に互いに同一形状を呈しており、各内側板面同士が対向するように互いに係合することによって、前記フレームに対して取り付けられるものであり、
前記下および前記上カバープレート同士の係合構造は、前記下カバープレートにその内側方向に延びるように形成された凹部付き舌片および凸部付き舌片のうちの一方と、前記上カバープレートにその内側方向に延びるように形成された該凹部付き舌片および該凸部付き舌片のうちの他方との対によって構成されており、
前記凸部付き舌片および前記凹部付き舌片は、可撓性を有することを特徴とするＰＣカード。
【請求項２】
前記下および前記上カバープレートそれぞれの前記線対称の一方の領域の端部に位置する辺には、複数の前記凹部付き舌片が並列して形成されており、
前記下および前記上カバープレートそれぞれの前記線対称の他方の領域の端部に位置する辺には、複数の前記凸部付き舌片が並列して形成されている請求項１に記載のＰＣカード。
【請求項３】
前記下および前記上カバープレートそれぞれの前記線対称の一方の領域の端部に位置する辺には、前記凹部付き舌片、前記凸部付き舌片が順番に交互に並列して形成されており、
前記下および前記上カバープレートそれぞれの前記線対称の他方の領域の端部に位置する辺には、前記凸部付き舌片、前記凹部付き舌片が順番に交互に並列して形成されている請求項１に記載のＰＣカード。
【請求項４】
前記下および前記上カバープレートは、互いに係合することに加え、両面テープによって、前記フレームに対してそれぞれ取り付けられる請求項１乃至３のいずれか１つに記載のＰＣカード。
【請求項５】
前記下および前記上カバープレートは、互いに係合することに加え、各前記長さ方向の一端または他端が前記フレームに形成された凹部に入り込むことによって、前記フレームに対してそれぞれ取り付けられる請求項１乃至４のいずれか１つに記載のＰＣカード。
【請求項６】
前記下および前記上カバープレートが前記フレームに対して取り付けられたときに、該下および該上カバープレートの係合構造は、前記フレームに該フレームの厚さ方向に貫通するように形成された孔部内に位置する請求項１乃至５のいずれか１つに記載のＰＣカード。
【発明の詳細な説明】
【技術分野】
【０００１】
本発明は、パーソナルコンピュータ等の電子機器に対して装着され、その電子機器の機能拡張を図るためのカード型を呈する装置に関し、特に、ＰＣＭＣＩＡ（Personal Computer Memory Card International Association）、日本電子工業振興会（ＪＥＩＤＡ）により規格化された「PC Card Standard」に準拠したＰＣカードに関する。
【０００２】
尚、本発明において、ＰＣカードとは、狭義のＰＣカードの他に、スマートカード（商標）、スモールＰＣカード（商標）、ＣＦ（Compact Flash（商標））等、狭義のＰＣカードに類似した構造のカードをも含むものとする。
【背景技術】
【０００３】
この種のＰＣカードは、電子回路基板と、電子回路基板に接続されていると共に電子機器に備えられた機器コネクタと接離可能なコネクタと、電子回路基板とコネクタの一部とを収容するカード状を呈する筐体とを有している。筐体は、略角枠形を呈する樹脂製のフレームと、フレームの下面および上面をそれぞれ覆蓋する板金製の下および上カバープレートとを備えている。
【０００４】
このようなＰＣカードは従来、次のような組立構造１〜６を呈している。
【０００５】
（１）下および上カバープレートは、熱接着テープによってフレームに対して接着することで組み付けされている。接着の際には、熱接着テープおよび／またはその周辺部の加熱手段および冷却手段を有する治具が使用される。
【０００６】
（２）下および上カバープレートは、両面テープおよびネジ留めを併用してフレームに対して組み付けされている。
【０００７】
（３）下および上カバープレートは、両面テープによってフレームに対して接着されている。
【０００８】
（４）下または上カバープレートは、両面テープならびにフレームと下または上カバープレートとの係合関係を併用してフレームに対して組み付けされている。この係合関係は、フレームの厚さ方向に形成された係合溝と、下または上カバープレートに形成された鋸歯状の被係合片とにより構成されている。このような組立構造は、特許文献１に開示されている。
【０００９】
（５）下または上カバープレートは、フレームと下および上カバープレートとの係合関係によってフレームに対して組み付けされている。この係合関係は、フレームの外周に形成された係合溝と、下および上カバープレートの外縁部に内方に向かうように形成されたコ字状片とにより構成されている。このような組立構造は、特許文献２に開示されている。
【００１０】
（６）下および上カバープレートは、下および上カバープレート同士の係合関係を併用してフレームに対して組み付けされている。この係合関係は、下および上カバープレートの一方の外縁部に厚さ方向に向かうように形成された係合孔部と、下および上カバープレートの他方の外縁部に厚さ方向に向かうように形成された係合爪とにより構成されている。このような組立構造は、特許文献３に開示されている。
【００１１】
【特許文献１】特開２０００−０５７２９７号公報
【特許文献２】特開２０００−２２２５４８号公報
【特許文献３】特開２００１−１０１３７３号公報
【発明の開示】
【発明が解決しようとする課題】
【００１２】
上述した組立構造１〜６にはそれぞれ、次のような問題点がある。
【００１３】
（１）組付強度は強いものの、大掛かりな治具（加熱手段および冷却手段の二種類）を使用した組立工程を必要とするため、組立工数が多く、また、そのような治具を含む組立設備が高額である。
【００１４】
（２）組付強度は強いものの、組立部品が増えるため、組立工数ＵＰとなる。カバープレートが上下共通にはならないため、カバープレート金型設備を二種類作成する必要があり、コスト上昇を招く。
【００１５】
（３）組立工数が少ないものの、両面テープのみの固定のため、組付強度が低い。
【００１６】
（４）組付強度は比較的強いものの、樹脂製のフレームに形成された溝に対して金属製のカバープレートに形成された鋸歯が食い込むため、組立工程等の際に、樹脂の切削や摩擦が生じ、組付強度の信頼性に劣る。また、カバープレートが上下共通にはならないため、カバープレート金型設備を二種類作成する必要があり、コスト上昇を招く。
【００１７】
（５）組付強度は比較的強いものの、樹脂製のフレームに形成された溝に対して金属製のカバープレートに形成されたコ字状片が被るため、組立工程等の際に樹脂の切削や摩擦が生じたり、コ字状片が変形する虞があり、組付強度の信頼性に劣る。
【００１８】
（６）組付強度は強いものの、カバープレートが上下共通にはならないため、カバープレート金型設備を二種類作成する必要があり、コスト上昇を招く。
【００１９】
それ故、本発明の課題は、組付強度が高く、組付強度の信頼性に優れ、部品数が少なく、組立工数が少なく、組み立てが容易で、組立設備が簡素でよく、かつ製造コストが低いＰＣカードを提供することである。
【課題を解決するための手段】
【００２０】
本発明によれば、電子回路基板と、前記電子回路基板に接続されていると共に電子機器に備えられた機器コネクタに対して接離可能なコネクタと、カード状を呈し、前記電子回路基板と前記コネクタの一部とを収容する筐体とを有し、前記筐体は、略角枠形を呈する樹脂製のフレームと、該フレームの下面および上面をそれぞれ覆蓋する略角板形を呈する板金製の下および上カバープレートとを備えているＰＣカードにおいて、前記下および前記上カバープレートは、それぞれ長さ方向に延びる対称線を挟んで幅方向に線対称な形状であると共に互いに同一形状を呈しており、各内側板面同士が対向するように互いに係合することによって、前記フレームに対して取り付けられるものであり、前記下および前記上カバープレート同士の係合構造は、前記下カバープレートにその内側方向に延びるように形成された凹部付き舌片および凸部付き舌片のうちの一方と、前記上カバープレートにその内側方向に延びるように形成された該凹部付き舌片および該凸部付き舌片のうちの他方との対によって構成されており、前記凸部付き舌片および前記凹部付き舌片は、可撓性を有することを特徴とするＰＣカードが得られる。
【００２１】
本発明によればまた、前記下および前記上カバープレートそれぞれの前記線対称の一方の領域の端部に位置する辺には、複数の前記凹部付き舌片が並列して形成されており、前記下および前記上カバープレートそれぞれの前記線対称の他方の領域の端部に位置する辺には、複数の前記凸部付き舌片が並列して形成されている前記に記載のＰＣカードが得られる。
【００２２】
本発明によればさらに、前記下および前記上カバープレートそれぞれの前記線対称の一方の領域の端部に位置する辺には、前記凹部付き舌片、前記凸部付き舌片が順番に交互に並列して形成されており、前記下および前記上カバープレートそれぞれの前記線対称の他方の領域の端部に位置する辺には、前記凸部付き舌片、前記凹部付き舌片が順番に交互に並列して形成されている前記ＰＣカードが得られる。
【００２３】
また、本発明によれば、前記下および前記上カバープレートは、互いに係合することに加え、両面テープによって、前記フレームに対してそれぞれ取り付けられる前記ＰＣカードが得られる。
【００２４】
さらに、本発明によれば、前記下および前記上カバープレートは、互いに係合することに加え、各前記長さ方向の一端または他端が前記フレームに形成された凹部に入り込むことによって、前記フレームに対してそれぞれ取り付けられる前記ＰＣカードが得られる。
【００２５】
また、本発明によれば、前記下および前記上カバープレートが前記フレームに対して取り付けられたときに、該下および該上カバープレートの係合構造は、前記フレームに該フレームの厚さ方向に貫通するように形成された孔部内に位置する前記ＰＣカードが得られる。
【発明の効果】
【００２６】
本発明によるＰＣカードは、組付強度が高く、組付強度の信頼性に優れ、部品数が少なく、組立工数が少なく、組み立てが容易で、組立設備が簡素でよく、かつ製造コストが低い。
【発明を実施するための最良の形態】
【００２７】
以下、図面を参照して、本発明の実施例によるＰＣカードについて詳細に説明する。
【００２８】
図１ならびに図２（ａ）〜（ｄ）を参照して、本発明の実施例によるＰＣカードは、従来のＰＣカードと同様に、電子回路基板１０と、電子回路基板１０に接続されていると共に電子機器（図示せず）に備えられた機器コネクタに対して接離可能なコネクタ２０と、カード状を呈し、電子回路基板とコネクタの一部とを収容する筐体とを有している。
【００２９】
筐体は、略角枠形を呈する樹脂製のフレーム３０と、フレーム３０の下面および上面をそれぞれ覆蓋する略角板形を呈する板金製の下および上カバープレート５０および６０と、拡張部４０とを備えている。尚、拡張部４０は、通常、樹脂製で、フレーム３０と別体もしくは一部がフレーム３０と一体に形成されるものであり、コネクタ２０以外のコネクタ、電子回路基板１０以外の電子回路基板、あるいはアンテナ等をカバーする樹脂製の部材である。
【００３０】
さて、本ＰＣカードにおいて、下および上カバープレート５０および６０は、それぞれ長さ方向Ｌに延びる対称線（図示せず）を挟んで幅方向Ｗに線対称な形状であると共に、互いに同一形状を呈している。即ち、本実施例では、下および上カバープレート５０および６０というように名称や部品番号を違えて表記しているが、下および上カバープレート５０および６０は、同一製造工程で得られる、同一形状を呈する２つのカバープレート部品である。
【００３１】
下および上カバープレート５０および６０は、各内側板面同士が対向するように互いに係合することによって、フレーム３０に対して取り付けられる。
【００３２】
下および上カバープレート５０および６０同士の係合構造は、図２（ｂ）および（ｃ）によく示されているように、下カバープレートにその内側方向に延びるように形成された凹部付き舌片５６ａと上カバープレートにその内側方向に延びるように形成された凸部付き舌片６６ｂとの対、ならびに、下カバープレートにその内側方向に延びるように形成された凸部付き舌片５６ｂと上カバープレートにその内側方向に延びるように形成された凹部付き舌片６６ａとの対によって構成されている。
【００３３】
尚、舌片に形成されている凹凸の形状について、本実施例においては凸部は略半球状を呈していると共に凹部は孔であるが、本発明において、凹凸部の具体的な形状やサイズは本例に限定されるものではない。例えば、楔状の凸部と孔状の凹部等であってもよい。また、舌片の数や形成位置についても、下および上カバープレートを同一部品でまかなうことができさえすれば、本例に限定されるものではない。
【００３４】
これら凸部付き舌片および凹部付き舌片は、プレス加工等によって、下カバープレート５０、上カバープレート６０と一体に形成されており、可撓性を有している。
【００３５】
下カバープレート５０の線対称の一方の領域の端部に位置する辺（図１中、右側の辺）には、凹部付き舌片５６ａ、凸部付き舌片５６ｂが順番に交互に並列して形成されている。一方、上カバープレート６０の線対称の他方の領域の端部に位置する辺（図１中、右側の辺）には、凸部付き舌片６６ｂ、凹部付き舌片６６ａが順番に交互に並列して形成されている。
【００３６】
下および上カバープレート５０および６０は、互いに係合することに加え、両面テープ７０によって、フレーム３０に対してそれぞれ取り付けられる。
【００３７】
両面テープを併用することにより、下および上カバープレート５０および６０のフレーム３０に対する組付強度が向上している。
【００３８】
さらに、下、上カバープレート５０、６０は、互いに係合することに加え、図２（ｄ）によく示されているように、各長さ方向Ｌの一端辺（図１中、前端辺）に内側方向に屈曲した後外方向に延在するように形成された先端片５８、６８がフレーム３０の内周面に形成された凹部３８内に入り込むことによって、フレーム３０に対してそれぞれ取り付けられる。
【００３９】
この構造により、下および上カバープレート５０および６０のフレーム３０に対する組付強度、特に、係合構造が無い端部における下および上カバープレート５０および６０同士の組付強度が向上するため、本ＰＣカードが前端から落下した際に、下、上カバープレート５０、６０がフレーム３０から浮き上がってしまうことが防止される。
【００４０】
また、下および上カバープレート５０および６０がフレーム３０に対して取り付けられたときに、下および上カバープレート５０および６０の係合構造は、フレーム３０にフレーム３０の厚さ方向ｔに貫通するように形成された孔部３６内に位置する。
【００４１】
このため、組立後、ユーザが不用意に係合構造部分に手に触れたとしても、容易に外れてしまうことがない。逆に、点検、修理、メインテナンスなどの際には、孔部３６内の隙間に治具を挿入して凸部付き舌片または凹部付き舌片を撓ませることが可能な構造としておくことで、必要時には容易に係合関係を解除することができる。
【００４２】
本実施例の変形例としては、図示はしないが、下および上カバープレートそれぞれの線対称の一方の領域の端部に位置する辺に複数の凹部付き舌片を並列して形成する一方、下および上カバープレートそれぞれの線対称の他方の領域の端部に位置する辺に複数の凸部付き舌片を並列して形成する構造が考えられる。
【００４３】
この場合にも、下および上カバープレートは、同一部品でまかなうことができる。
【産業上の利用可能性】
【００４４】
以上、具体的な実施例によって本発明を説明したが、本発明は、この実施例に限定はされず、種々のＰＣカード等への適用、変形が当業者にとって可能であることは、云うまでもない。
【図面の簡単な説明】
【００４５】
【図１】本発明の実施例によるＰＣカードを示す分解斜視図である。
【図２】（ａ）は図１に示されたＰＣカードの平面図、（ｂ）は（ａ）の切断線Ｘ１−Ｘ２に沿った部分断面図、（ｃ）は（ａ）の切断線Ｙ１−Ｙ２に沿った部分断面図、（ｄ）は（ａ）の切断線Ｚ１−Ｚ２に沿った部分断面図である。
【符号の説明】
【００４６】
１０    電子回路基板
２０    コネクタ
３０    フレーム
３６    孔部
３８    溝部
４０    拡張部
５０    下カバープレート
５６ａ  凹部付き舌片
５６ｂ  凸部付き舌片
５８    先端片
６０    上カバープレート
６６ａ  凹部付き舌片
６６ｂ  凸部付き舌片
６８    先端片
７０    両面テープ
【図１】
2006127180.tif 000003
【図２】
2006127180.tif 000004